(57)【要約】      （修正有）【課題】様々な電力情報を使用して、所定の領域で各電力ノードを保護することができる送電線網に配置されるスマートグリッド保護システムを提供する。【解決手段】スマートグリッド保護システムは、第１の電力保護装置２１及び第２の電力保護装置２２を含む。第１の電力保護装置は、第１の電気回路１１による消費電力量及び電力漏洩状態を検出するための第１の消費電力及び漏洩電力検出モジュールと、第１の低消費電力Ｂｌｕｅｔｏｏｔｈ（登録商標）通信モジュールと、を含む。第２の電力保護装置は、第２の電気回路１２による消費電力量及び電力漏洩状態を検出するための第２の消費電力及び漏洩電力検出モジュールと、第２の低消費電力Ｂｌｕｅｔｏｏｔｈ通信モジュールとを含む。第１の低消費電力Ｂｌｕｅｔｏｏｔｈ通信モジュールと第２の低消費電力Ｂｌｕｅｔｏｏｔｈ通信モジュールとは放送で通信を行う。【選択図】図１
0003226515.tif 000002
【実用新案登録請求の範囲】
【請求項１】
少なくとも第１の電気回路及び第２の電気回路を含む送電線網に配置され、第１の電力保護装置及び第２の電力保護装置を含むスマートグリッド保護システムであって、
前記第１の電気回路は、少なくとも１つの第１の電力線、及び第１の電力制御スイッチが設けられる第１の電力制御ノードを備え、
前記第２の電気回路は、少なくとも１つの第２の電力線、及び第２の電力制御スイッチが設けられる第２の電力制御ノードを備え、
前記第１の電力保護装置は、前記第１の電気回路における前記第１の電力制御ノードに配置され、前記第１の電力制御スイッチに電気的に接続し、かつ、前記第１の電力保護装置には、
前記第１の電気回路による消費電力量及び電力漏洩状態を検出するための第１の消費電力及び漏洩電力検出モジュールと、
第１の低消費電力Ｂｌｕｅｔｏｏｔｈ通信モジュールと、
前記第１の消費電力及び漏洩電力検出モジュールと前記第１の低消費電力Ｂｌｕｅｔｏｏｔｈ通信モジュールとを接続し、前記第１の消費電力及び漏洩電力検出モジュールと前記第１の低消費電力Ｂｌｕｅｔｏｏｔｈ通信モジュールとに電力を給電するための、第１のエネルギー蓄積モジュールと、
が含まれて、
前記第２の電力保護装置は、前記第２の電気回路における前記第２の電力制御ノードに配置され、前記第２の電力制御スイッチに電気的に接続し、かつ、前記第２の電力保護装置には、
前記第２の電気回路による消費電力量及び電力漏洩状態を検出するための第２の消費電力及び漏洩電力検出モジュールと、
第２の低消費電力Ｂｌｕｅｔｏｏｔｈ通信モジュールと、
前記第２の消費電力及び漏洩電力検出モジュールと前記第２の低消費電力Ｂｌｕｅｔｏｏｔｈ通信モジュールとを接続し、前記第２の消費電力及び漏洩電力検出モジュールと前記第２の低消費電力Ｂｌｕｅｔｏｏｔｈ通信モジュールとに電力を給電するための、第２のエネルギー蓄積モジュールと、
が含まれて、
前記第１の電力保護装置における前記第１の消費電力及び漏洩電力検出モジュールが、前記第１の電気回路による前記消費電力量が第１の上限値よりも大きくなったこと、または前記第１の電気回路の電力漏洩状態が、電力が漏洩される状態になったことを検出したとき、前記第１の電力保護装置は、前記第１の電気回路の出力電力量を調整するように、前記第１の電力制御スイッチに通知し、
前記第１の電力保護装置における前記第１の低消費電力Ｂｌｕｅｔｏｏｔｈ通信モジュールは、前記第２の電力保護装置における前記第２の低消費電力Ｂｌｕｅｔｏｏｔｈ通信モジュールに通知し、対応的に前記第２の電力制御ノードにおける前記第２の電力制御スイッチを規制する、
ことを特徴とするスマートグリッド保護システム。
【請求項２】
前記第１の電力保護装置は、
前記第１の低消費電力Ｂｌｕｅｔｏｏｔｈ通信モジュールに電気的に接続される第１の温度保護モジュール、をさらに含み、
前記第１の温度保護モジュールが、前記第１の電力制御ノードの温度が第１の温度よりも高いことを検出した時、前記第１の電力保護装置は、前記第１の電気回路の出力電力量を調整するように、前記第１の電力制御スイッチに過温度警告メッセージを発信し、
かつ、前記第１の電力保護装置が前記第１の低消費電力Ｂｌｕｅｔｏｏｔｈ通信モジュールを介して、警告信号を送信して、前記第２の電力保護装置に通信する、
ことを特徴とする、請求項１に記載するスマートグリッド保護システム。
【考案の詳細な説明】
【技術分野】
【０００１】
本考案は保護システムに関し、特にスマートグリッド保護システムに関する。
【背景技術】
【０００２】
スマートメーターの導入以来、スマートグリッドは徐々に普及してきた。なお、現在のスマートメータは有線または無線ネットワークのいずれを利用してデータを送信しても、データのフィードバックが主に行われて、特別な状況では積極的なスマートメータの保護を提供することはできない。言い換えれば、各電力ノードはそれぞれに設けられた保護機構としての安全スイッチのみに依存することができ、スマートグリッドの様々な電力情報を使用して、所定の領域で各電力ノードを保護することはできない。
【考案の概要】
【考案が解決しようとする課題】
【０００３】
したがって、スマートグリッド保護システムの提供は、業界では重要なトピックとなる。
【課題を解決するための手段】
【０００４】
本考案による実施形態には、送電線網に配置されるスマートグリッド保護システムを提供する。前記送電線網は少なくとも第１の電気回路及び第２の電気回路を含む。前記第１の電気回路は少なくとも１つの第１の電力線を含み、前記第２の電気回路は少なくとも１つの第２の電力線を含む。前記第１の電気回路は第１の電力制御ノードを含み、前記第２の電気回路は第２の電力制御ノードを含む。前記第１の電力制御ノードには第１の電力制御スイッチが配置され、前記第２の電力制御ノードには第２の電力制御スイッチが配置される。前記スマートグリッド保護システムは、前記第１の電気回路における前記第１の電力制御ノードに設けられ、前記第１の電力制御スイッチと電気的に接続される第１の電力保護装置を含む。中でも、前記第１の電力保護装置は、前記第１の電気回路による消費電力量及び電力漏洩状態を検出するための第１の消費電力及び漏洩電力検出モジュールと、第１の低消費電力Ｂｌｕｅｔｏｏｔｈ（登録商標）通信モジュールと、前記第１の消費電力及び漏洩電力検出モジュールと前記第１の低消費電力Ｂｌｕｅｔｏｏｔｈ通信モジュールとを電気的に接続する第１のエネルギー蓄積モジュールとを含む。前記第１のエネルギー蓄積モジュールは、前記第１の消費電力及び漏洩電力検出モジュールと前記第１の低消費電力Ｂｌｕｅｔｏｏｔｈ通信モジュールとに給電する。第２の電力保護装置は、前記第２の電気回路における前記第２の電力制御ノードに配置され、前記第２の電力制御スイッチに電気的に接続される。中でも、前記第２の電力保護装置は、前記第２の電気回路による消費電力量及び電力漏洩状態を検出するための第２の消費電力及び漏洩電力検出モジュールと、第２の低消費電力Ｂｌｕｅｔｏｏｔｈ通信モジュールと、前記第２の消費電力及び漏洩電力検出モジュールと、前記第２の低消費電力Ｂｌｕｅｔｏｏｔｈ通信モジュールとを電気的に接続する第２のエネルギー蓄積モジュールとを含む。前記第２のエネルギー蓄積モジュールは前記第２の消費電力及び漏洩電力検出モジュールと前記第２の低消費電力Ｂｌｕｅｔｏｏｔｈ通信モジュールとに対して給電する。中でも、前記第１の電力保護装置における前記第１の消費電力及び漏洩電力検出モジュールが前記第１の電気回路による前記消費電力量が第１の上限値よりも大きくなった場合、又は前記第１の電気回路による電力漏洩状態が漏洩電力になった場合、前記第１の電力保護装置は、前記第１の電気回路の出力電力量を調整するように前記第１の電力制御スイッチに通知する。中でも、前記第２の電力制御ノードにおける前記第２の電力制御スイッチを対応的に調整するように、前記第１の電力保護装置における前記第１の低消費電力Ｂｌｕｅｔｏｏｔｈ通信モジュールは、前記第２の電力保護装置における前記第２の低消費電力Ｂｌｕｅｔｏｏｔｈ通信モジュールに通知する。
【考案の効果】
【０００５】
前記を纏めて、本考案の実施形態にかかるスマートグリッド保護システムはＢｌｕｅｔｏｏｔｈプロトコルで互いに通信する電力保護装置を利用して電力保護装置が検出した電力異常の状況を基づいて電力使用区域における各電気回路の電力使用状況を規制するように、放送信号を介して同じ電力使用区域における他の電力制御ノードに配置される電力保護装置に通知する。
【図面の簡単な説明】
【０００６】
【図１】本考案の実施形態に係るスマートグリッド保護システムを示す模式図である。
【図２】本考案の実施形態に係る第１の電力保護装置及び第２の電力保護装置を示す模式図である。
【図３】本考案の実施形態にかかるスマートグリッド保護方法を示すフローチャートである。
【考案を実施するための形態】
【０００７】
下記より、具体的な実施例で本考案が開示する「スマートグリッド保護システム」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。また、本明細書において第１の、第２の、第３の等の述語により各種の素子又は信号を示すが、それらの素子又は信号はそれらの述語に制限されない。
【０００８】
（本考案によるスマートグリッド保護システムの実施形態）
図１及び図２を参照する。図１は本考案の実施形態に係るスマートグリッド保護システムを示す模式図である。図２は本考案の実施形態に係る第１の電力保護装置及び第２の電力保護装置を示す模式図である。
【０００９】
本実施形態において、スマートグリッド保護システム２は、送電線網１に設けられる。前記送電線網１は少なくとも２つの電気回路、すなわち、２つの電力制御ノードがそれぞれ制御する電気回路を含む。本実施形態において、送電線網１は第１の電気回路１１、第２の電気回路１２、第３の電気回路１３、及び第４の電気回路１４を含む。本実施形態において、送電線網１が電力使用区域（図示なし）に配置され、電力使用区域の大きさについては本考案に制限されない。
【００１０】
かつ、電気回路毎には少なくとも１つの電力線を含む。すなわち、第１の電気回路１１は少なくとも１つの第１の電力線１１０を含み、第２の電気回路１２は少なくとも１つの第２の電力線１２０を含み、第３の電気回路１３は少なくとも１つの第３の電力線１３０を含み、第４の電気回路１４は少なくとも１つの第４の電力線１４０を含む。
【００１１】
それに対して、電気回路毎は、電気回路毎に配置され各電気回路の制御ノードとする電力制御ノードを含む。すなわち、本実施形態において、第１の電気回路１１は、第１の電力線１１０に電気的に接続する第１の電力制御ノード１１１を含み、第２の電気回路１２は、第２の電力線１２０に電気的に接続する第２の電力制御ノード１２１を含み、第３の電気回路１３は、第３の電力線１３０に電気的に接続する第３の電力制御ノード１３１を含み、第４の電気回路１４は、第４の電力線１４０に電気的に接続する第４の電力制御ノード１４１を含む。
【００１２】
第１の電力制御ノード１１１は第１の電力制御スイッチ１１１Ａを含み、第２の電力制御ノード１２１は第２の電力制御スイッチ１２１Ａを含み、第３の電力制御ノード１３１は第３の電力制御スイッチ１３１Ａを含み、第４の電力制御ノード１３１は第４の電力制御スイッチ１３１Ａを含む。
【００１３】
スマートグリッド保護システム２は少なくとも２つの電力保護装置を含む。本実施形態において、スマートグリッド保護システム２は、第１の電力保護装置２１、第２の電力保護装置２２、第３の電力保護装置２３、及び第４の電力保護装置２４を含む。中でも、第１の電力保護装置２１、第２の電力保護装置２２、第３の電力保護装置２３、及び第４の電力保護装置２４は、それぞれ第１の電力制御ノード１１１、第２の電力制御ノード１２１、第３の電力制御ノード１３１、及び第４の電力制御ノード１４１に配置され、第１から第４の電力保護装置が第１の電気回路１１、第２の電気回路１２、第３の電気回路１３、及び第４の電気回路１４による電力漏洩状態及び消費電力量をそれぞれ検出して規制するように、保護を行う。中でも、電気回路毎の消費電力量は、電気回路毎の電力使用量を言い、電力漏洩状態は各回路に障害点が存在する場合、過電流が起こされる原因で電気回路が作動できない状態という。
【００１４】
本実施形態において、第１の電力保護装置２１は、第１の電力制御スイッチ１１１Ａ及び第１の電力線１１０に電気的に接続する。第２の電力保護装置２２は、第２の電力制御スイッチ１２１Ａ及び第２の電力線１２０に電気的に接続する。第３の電力保護装置２３は、第３の電力制御スイッチ１３１Ａ及び第３の電力線１３０に電気的に接続する。第４の電力保護装置２４は、第４の電力制御スイッチ１４１Ａ及び第４の電力線１４０に電気的に接続する。
【００１５】
以下はスマートグリッド保護システム２における第１の電力保護装置２１及び第２の電力保護装置２２のみを備える実施形態で詳細を説明する。第３の電力保護装置２３及び第４の電力保護装置２４と、第１の電力保護装置２１及び第２の電力保護装置２２とは、構成、機能では同様であるため、ここでは説明を繰り返さない。
【００１６】
第１の電力保護装置２１は第１の消費電力及び漏洩電力検出モジュール２１１、第１の低消費電力Ｂｌｕｅｔｏｏｔｈ通信モジュール２１２、第１のエネルギー蓄積モジュール２１３、並びに第１の温度保護モジュール２１４を含む。第２の電力保護装置２２は、第２の消費電力及び漏洩電力検出モジュール２２１、第２の低消費電力Ｂｌｕｅｔｏｏｔｈ通信モジュール２２２、第２のエネルギー蓄積モジュール２２３、並びに第２の温度保護モジュール２１４を含む。
【００１７】
本実施形態において、第１の低消費電力Ｂｌｕｅｔｏｏｔｈ通信モジュール２１２及び第２の低消費電力Ｂｌｕｅｔｏｏｔｈ通信モジュール２２２が使用するプロトコルは、Ｂｌｕｅｔｏｏｔｈプロトコル４．０、Ｂｌｕｅｔｏｏｔｈプロトコル５．０を含むが、実際の必要に応じて調整、設計することができ、本考案には制限されない。中でも、第１の低消費電力Ｂｌｕｅｔｏｏｔｈ通信モジュール２１２は、第１の放送信号を発信して、第２の低消費電力Ｂｌｕｅｔｏｏｔｈ通信モジュール２２２と通信を行う。第２の低消費電力Ｂｌｕｅｔｏｏｔｈ通信モジュール２２２は、第２の放送信号を発信して、第２の低消費電力Ｂｌｕｅｔｏｏｔｈ通信モジュール２１２と通信を行う。
【００１８】
中でも、第１の消費電力及び漏洩電力検出モジュール２１１と、第２の消費電力及び漏洩電力検出モジュール２２１とは、前記第１の電気回路１１と、第２の電気回路１２とのそれぞれの消費電力量及び電力漏洩状態を検出するように用いられる。
【００１９】
第１のエネルギー蓄積モジュール２１３は、第１の消費電力及び漏洩電力検出モジュール２１１と、第１の低消費電力Ｂｌｕｅｔｏｏｔｈ通信モジュール２１２とに電気的に接続する。第１のエネルギー蓄積モジュール２１３は、第１の消費電力及び漏洩電力検出モジュール２１１と、第１の低消費電力Ｂｌｕｅｔｏｏｔｈ通信モジュール２１２とに電力を給電する。
【００２０】
第２のエネルギー蓄積モジュール２２３は、第２の消費電力及び漏洩電力検出モジュール２２１と、及び第２の低消費電力Ｂｌｕｅｔｏｏｔｈ通信モジュール２２２とに電気的に接続する。第２のエネルギー蓄積モジュール２２３は、第２の消費電力及び漏洩電力検出モジュール２２１と、第２の低消費電力Ｂｌｕｅｔｏｏｔｈ通信モジュール２２２とに電力を給電する。
【００２１】
本実施形態において、第１のエネルギー蓄積モジュール２１３及び第２のエネルギー蓄積モジュール２２３はスーパーキャパシター又は長寿命バッテリーセルであるが、本考案はそれに制限されない。
【００２２】
第１の温度保護モジュール２１４は第１の低消費電力Ｂｌｕｅｔｏｏｔｈ通信モジュール２１２に電気的に接続する。
【００２３】
中でも、第１の温度保護モジュール２１４が、第１の電力制御ノード１１１の温度又は周囲環境の温度が第１の温度よりも高いことを検出すると、第１の電力保護装置２１は過温度警告メッセージを第１の電力制御スイッチ１１１Ａに送信し、第１の電気回路１１の出力電力量を規制する。本実施形態において、第１の温度は摂氏５０度から摂氏７０度の間にある。本実施形態において、第１の温度保護モジュール２１４が、第１の電力制御ノード１１１の温度又は周囲環境の温度が第２の温度よりも高いことを検出すると、第１の電力保護装置２１は、第１の電力制御スイッチ１１１Ａが第１の電気回路１１の電力を遮断するように、第１の電力制御スイッチ１１１Ａに通知する。本実施形態において、第２の温度は摂氏９０度から摂氏１５０度の間にある。
【００２４】
また、第１の電力保護装置２１は第１の低消費電力Ｂｌｕｅｔｏｏｔｈ通信モジュール２１２を介して、警告信号を送信して、第１の電力制御スイッチ１１１Ａが第１の電気回路１１の給電調整を行うように、第２の電力保護装置２２に通知する。
【００２５】
同じように、第２の温度保護モジュール２１４は第２の低消費電力Ｂｌｕｅｔｏｏｔｈ通信モジュール２２２に電気的に接続する。中でも、第２の温度保護モジュール２２４が、第２の電力制御ノード１２１の温度又は周囲環境の温度が第１の温度よりも高いことを検出すると、第２の電力保護装置２２は、第２の電気回路１２の出力電力量を規制するように、第２の電力制御スイッチ１２１Ａに過温度警告メッセージを送信する。第１の温度は摂氏５０度から摂氏７０度の間にある。本実施形態において、第２の温度保護モジュール２２４が、第２の電力制御ノード１２１の温度又は周囲環境の温度が第２の温度よりも高いことを検出すると、第２の電力保護装置２２は、第２の電力制御スイッチ１２１Ａが第２の電気回路１２の電力を遮断するように、第２の電力制御スイッチ１２１Ａに通知する。本実施形態において、第２の温度は摂氏９０度から摂氏１５０度の間にある。本実施形態において、温度の範囲設置は実際の状況に応じて調整し、設計することができ、本考案はそれに制限されない。
【００２６】
また、第２の電力保護装置２２は第２の低消費電力Ｂｌｕｅｔｏｏｔｈ通信モジュール２２２を介して、第１の電力制御スイッチ１１１Ａが対応的に第１の電気回路１１の電力出力を調整させるように、第１の電力保護装置２１に警告信号を通知する。
【００２７】
また、第１の電力保護装置２１における第１の消費電力及び漏洩電力検出モジュール２１１が、第１の電気回路１１による消費電力量が第１の上限値よりも大きくなったこと、又は第１の電気回路１１の電力漏洩状態が、電力が漏洩される状態になったことを検出した場合、第１の電力保護装置２１は、前記第１の電気回路１１による出力電力量を調整するように第１の電力制御スイッチ１１１Ａに通知し、すなわち、電気回路１１の出力電力量を低減するか、又は第１の電気回路１１の電力出力を遮断するように、第１の電力制御スイッチ１１１Ａに通知する。
【００２８】
第１の電力保護装置２１における第１の低消費電力Ｂｌｕｅｔｏｏｔｈ通信モジュール２１２は、第２の電力保護装置２２が対応的に第２の電力制御ノード１２１における第２の電力制御スイッチ１２１Ａが出力する出力電力量を規制させるように、第２の電力保護装置２２における第２の低消費電力Ｂｌｕｅｔｏｏｔｈ通信モジュール２２２に通知する。
【００２９】
さらに言えば、第２の電力保護装置２２における第２の消費電力及び漏洩電力検出モジュール２２１が、第２の電気回路１２による消費電力量が第１の上限値よりも大きくなったこと、又は第２の電気回路１２の電力漏洩状態が電力が漏洩される状態になったことを検出した場合、第２の電力保護装置２２は、前記第２の電力制御スイッチ１２１Ａが前記第２の電気回路１２による出力電力量を調整するように、第２の電力制御スイッチ１２１Ａに通知し、すなわち、第２の電気回路１２の出力電力量を低減するか、又は、第２の電気回路１２の電力出力を遮断するように、前記第２の電力制御スイッチ１２１Ａに通知する。
【００３０】
第２の電力保護装置２２における第２の低消費電力Ｂｌｕｅｔｏｏｔｈ通信モジュール２２２は、第１の電力保護装置２１が対応的に第１の電力制御ノード１１１における第１の電力制御スイッチ１１１Ａが出力する出力電力量を規制させるように、第１の電力保護装置２１における第１の低消費電力Ｂｌｕｅｔｏｏｔｈ通信モジュール２１２に通知する。
【００３１】
本実施形態において、電気回路、電力制御ノード、電力線、電力制御スイッチ、及び電力保護装置数量は、実際の適用に応じて調整、設計でき、本考案には制限されない。
【００３２】
（本考案によるスマートグリッド保護方法の実施形態）
図３を参照する。図３は本考案の実施形態にかかるスマートグリッド保護方法を示すフローチャートである。
【００３３】
本考案による実施形態は、上述した送電線網１及びスマートグリッド保護システム２に適用するスマートグリッド保護方法を提供する。
【００３４】
本実施形態において、スマートグリッド保護方法は下記のステップを含む。第１の電力保護装置を利用して、前記第１の電気回路による消費電力量及び電力漏洩状態を検出し、前記第１の電力保護装置が検出した前記第１の電気回路による前記消費電力量又は電力漏洩状態に異常が存在する場合、前記第１の電力保護装置は保護モードに移行するステップ（ステップＳ１１０）。前記第１の電力保護装置の前記保護モードを基づいて、前記第１の電気回路の前記出力電力量を規制するステップ（ステップＳ１２０）。Ｂｌｕｅｔｏｏｔｈ放送で前記第２の電気回路に配置される第２の電力保護装置に通知し、前記第２の電気回路の出力電力量を規制するステップ（ステップＳ１３０）。
【００３５】
ステップＳ１１０及びステップＳ１２０において、第１の電力保護装置２１における第１の消費電力及び漏洩電力検出モジュール２１１が、第１の電気回路１１による消費電力量が第１の上限値よりも大きくなったこと、又は第１の電気回路１１の電力漏洩状態が、電力が漏洩される状態になったことを検出した場合、第１の電力保護装置２１は、前記第１の電気回路１１の消費電力量を規制するように第１の電力制御スイッチ１１１Ａに通知し、すなわち、第１の電気回路１１の消費電力量を低減するか、又は第１の電気回路１１の電力出力を遮断するように、第１の電力制御スイッチ１１１Ａに通知する。この時の第１の電力保護装置は保護モードに移行する。
【００３６】
ステップＳ１３０において、第１の電力保護装置２１における第１の低消費電力Ｂｌｕｅｔｏｏｔｈ通信モジュール２１２は、第２の電力保護装置２２における第２の低消費電力Ｂｌｕｅｔｏｏｔｈ通信モジュール２２２に通知するように第１の放送信号を発信して、それにより、第２の電力保護装置２２が対応的に第２の電力制御ノード１２１における第２の電力制御スイッチ１２１Ａが出力する出力電力量を規制させる。
【００３７】
本実施形態において、スマートグリッド保護方法はさらに下記のステップを含む。
電力制御ノード毎の温度又は電力制御ノード毎の周囲環境の温度を基づいて、警告信号を送信するかについて判断するステップ（ステップＳ１４０）。
【００３８】
ステップＳ１４０において、第１の温度保護モジュール２１４が、第１の電力制御ノード１１１の温度又は周囲環境の温度が第１の温度よりも高いことを検出した時、第１の電力保護装置２１は、第１の電気回路１１の出力電力量を規制するように、第１の電力制御スイッチ１１１Ａに過温度警告メッセージを送信する。本実施形態において、第１の温度は摂氏５０度から摂氏７０度の間にある。本実施形態において、第１の温度保護モジュール２１４が、第１の電力制御ノード１１１の温度又は周囲環境の温度が第２の温度よりも高いことを検出した時、第１の電力保護装置２１は、第１の電力制御スイッチ１１１Ａが第１の電気回路１１の電力を遮断するように第１の電気回路１１に通知する。本実施形態において、第２の温度は摂氏９０度から摂氏１５０度の間にある。
【００３９】
かつ、第１の電力保護装置２１は、第１の低消費電力Ｂｌｕｅｔｏｏｔｈ通信モジュール２１２を介して警告信号を送信し、第１の電力制御スイッチ１１１Ａが第１の電気回路１１の給電調整を行わせるように、第２の電力保護装置２２に通知する。
【００４０】
同じように、第２の温度保護モジュール２１４が第２の低消費電力Ｂｌｕｅｔｏｏｔｈ通信モジュール２２２に電気的に接続する。中でも、第２の温度保護モジュール２２４が、第２の電力制御ノード１２１の温度又は周囲環境の温度が第１の温度よりも高いことを検出した時、第２の電力保護装置２２は第２の電力制御スイッチ１２１Ａに過温度警告メッセージを送信して、第２の電気回路１２の出力電力量を調整する。本実施形態において、第１の温度は摂氏５０度から摂氏７０度の間にある。本実施形態において、第２の温度保護モジュール２２４が、第２の電力制御ノード１２１の温度または周囲環境の温度が第２の温度よりも高いことを検出した時、第２の電力保護装置２２は、第２の電力制御スイッチ１２１Ａに通知して、第２の電気回路１２の電力を遮断する。本実施形態において、第２の温度は摂氏９０度から摂氏１５０度の間にある。
【００４１】
また、第２の電力保護装置２２は第２の低消費電力Ｂｌｕｅｔｏｏｔｈ通信モジュール２２２を介して、警告信号を送信し、第１の電力制御スイッチ１１１Ａが対応的に第１の電気回路１１の給電を調整させるように第１の電力保護装置２１に通知する。
【００４２】
前記を纏めて、本考案による実施形態的スマートグリッド保護システムは、Ｂｌｕｅｔｏｏｔｈプロトコルで互いに通信する電力保護装置を利用して、電力保護装置が検出する電力使用の異常の状況を基づいて、放送信号により同じ電力使用区域における他の電力制御ノードに配置される電力保護装置に通知して、電力使用区域における各電気回路の電力使用状況をさらに規制する。
【００４３】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【００４４】
（付記）
（付記１）
少なくとも第１の電気回路及び第２の電気回路を含む送電線網に配置され、第１の電力保護装置及び第２の電力保護装置を含むスマートグリッド保護システムであって、
前記第１の電気回路は、少なくとも１つの第１の電力線、及び第１の電力制御スイッチが設けられる第１の電力制御ノードを備え、
前記第２の電気回路は、少なくとも１つの第２の電力線、及び第２の電力制御スイッチが設けられる第２の電力制御ノードを備え、
前記第１の電力保護装置は、前記第１の電気回路における前記第１の電力制御ノードに配置され、前記第１の電力制御スイッチに電気的に接続し、かつ、前記第１の電力保護装置には、
前記第１の電気回路による消費電力量及び電力漏洩状態を検出するための第１の消費電力及び漏洩電力検出モジュールと、
第１の低消費電力Ｂｌｕｅｔｏｏｔｈ通信モジュールと、
前記第１の消費電力及び漏洩電力検出モジュールと前記第１の低消費電力Ｂｌｕｅｔｏｏｔｈ通信モジュールとを接続し、前記第１の消費電力及び漏洩電力検出モジュールと前記第１の低消費電力Ｂｌｕｅｔｏｏｔｈ通信モジュールとに電力を給電するための、第１のエネルギー蓄積モジュールと、
が含まれて、
前記第２の電力保護装置は、前記第２の電気回路における前記第２の電力制御ノードに配置され、前記第２の電力制御スイッチに電気的に接続し、かつ、前記第２の電力保護装置には、
前記第２の電気回路による消費電力量及び電力漏洩状態を検出するための第２の消費電力及び漏洩電力検出モジュールと、
第２の低消費電力Ｂｌｕｅｔｏｏｔｈ通信モジュールと、
前記第２の消費電力及び漏洩電力検出モジュールと前記第２の低消費電力Ｂｌｕｅｔｏｏｔｈ通信モジュールとを接続し、前記第２の消費電力及び漏洩電力検出モジュールと前記第２の低消費電力Ｂｌｕｅｔｏｏｔｈ通信モジュールとに電力を給電するための、第２のエネルギー蓄積モジュールと、
が含まれて、
前記第１の電力保護装置における前記第１の消費電力及び漏洩電力検出モジュールが、前記第１の電気回路による前記消費電力量が第１の上限値よりも大きくなったこと、または前記第１の電気回路の電力漏洩状態が、電力が漏洩される状態になったことを検出したとき、前記第１の電力保護装置は、前記第１の電気回路の出力電力量を調整するように、前記第１の電力制御スイッチに通知し、
前記第１の電力保護装置における前記第１の低消費電力Ｂｌｕｅｔｏｏｔｈ通信モジュールは、前記第２の電力保護装置における前記第２の低消費電力Ｂｌｕｅｔｏｏｔｈ通信モジュールに通知し、対応的に前記第２の電力制御ノードにおける前記第２の電力制御スイッチを規制する、
ことを特徴とするスマートグリッド保護システム。
【００４５】
（付記２）
前記第１の電力保護装置は、
前記第１の低消費電力Ｂｌｕｅｔｏｏｔｈ通信モジュールに電気的に接続される第１の温度保護モジュール、をさらに含み、
前記第１の温度保護モジュールが、前記第１の電力制御ノードの温度が第１の温度よりも高いことを検出した時、前記第１の電力保護装置は、前記第１の電気回路の出力電力量を調整するように、前記第１の電力制御スイッチに過温度警告メッセージを発信し、
かつ、前記第１の電力保護装置が前記第１の低消費電力Ｂｌｕｅｔｏｏｔｈ通信モジュールを介して、警告信号を送信して、前記第２の電力保護装置に通信する、
ことを特徴とする、付記１に記載するスマートグリッド保護システム。
【００４６】
（付記３）
少なくとも１つの第１の電気回路及び第２の電気回路を備える送電線網に適用するスマートグリッド保護方法であって、
前記第１の電気回路は、少なくとも１つの第１の電力線、及び第１の電力制御スイッチが設けられる第１の電力制御ノードを備え、
前記第２の電気回路は、少なくとも１つの第２の電力線、及び第２の電力制御スイッチが設けられる第２の電力制御ノードを備え、
前記スマートグリッド保護方法は、
第１の電力保護装置を利用して、前記第１の電気回路による消費電力量及び電力漏洩状態を検出し、前記第１の電力保護装置が、前記第１の電気回路による前記消費電力量又は電力漏洩状態に異常が存在することを検出すると、前記第１の電力保護装置は保護モードに移行するステップと、
前記第１の電力保護装置の前記保護モードに基づいて、前記第１の電気回路の出力電力量を規制するステップと、
前記第２の電気回路の出力電力量を規制するように、Ｂｌｕｅｔｏｏｔｈ放送で前記第２の電気回路に配置される第２の電力保護装置に通知するステップと、を備える、
スマートグリッド保護方法。
【００４７】
（付記４）
電力制御ノード毎の温度又は電力制御ノード毎の周囲環境の環境温度を検出し、警告信号を送信するかどうかについて判断する、ことを特徴とする、付記３に記載するスマートグリッド保護方法。
【００４８】
（付記５）
前記第１の電力保護装置は、前記第１の電気回路における前記第１の電力制御ノードに配置され、前記第１の電力制御スイッチに電気的に接続し、かつ、前記第１の電力保護装置には、
前記第１の電気回路による消費電力量及び電力漏洩状態を検出するための第１の消費電力及び漏洩電力検出モジュールと、
第１の低消費電力Ｂｌｕｅｔｏｏｔｈ通信モジュールと、
前記第１の消費電力及び漏洩電力検出モジュールと前記第１の低消費電力Ｂｌｕｅｔｏｏｔｈ通信モジュールとを接続し、前記第１の消費電力及び漏洩電力検出モジュールと前記第１の低消費電力Ｂｌｕｅｔｏｏｔｈ通信モジュールとに電力を給電するための、第１のエネルギー蓄積モジュールと、
が含まれて、
前記第２の電力保護装置は、前記第２の電気回路における前記第２の電力制御ノードに配置され、前記第２の電力制御スイッチに電気的に接続し、かつ、前記第２の電力保護装置には、
前記第２の電気回路による消費電力量及び電力漏洩状態を検出するための第２の消費電力及び漏洩電力検出モジュールと、
第２の低消費電力Ｂｌｕｅｔｏｏｔｈ通信モジュールと、
前記第２の消費電力及び漏洩電力検出モジュールと前記第２の低消費電力Ｂｌｕｅｔｏｏｔｈ通信モジュールとを接続し、前記第２の消費電力及び漏洩電力検出モジュールと前記第２の低消費電力Ｂｌｕｅｔｏｏｔｈ通信モジュールとに電力を給電するための、第２のエネルギー蓄積モジュールと、
が含まれる、
ことを特徴とする、付記３に記載するスマートグリッド保護方法。
【００４９】
（付記６）
前記第１の電力保護装置は、
前記第１の低消費電力Ｂｌｕｅｔｏｏｔｈ通信モジュールに電気的に接続される第１の温度保護モジュール、をさらに含み、
前記第１の温度保護モジュールが、前記第１の電力制御ノードの温度が第１の温度よりも高いことを検出した時、前記第１の電力保護装置は、前記第１の電気回路の出力電力量を調整するように、前記第１の電力制御スイッチに過温度警告メッセージを発信し、
かつ、前記第１の電力保護装置が前記第１の低消費電力Ｂｌｕｅｔｏｏｔｈ通信モジュールを介して、警告信号を送信して、前記第２の電力保護装置に通信する、
ことを特徴とする、付記５に記載するスマートグリッド保護方法。
【符号の説明】
【００５０】
１：送電線網
２：スマートグリッド保護システム
１１：第１の電気回路
１２：第２の電気回路
１３：第３の電気回路
１４：第４の電気回路
２１：第１の電力保護装置
２２：第２の電力保護装置
２３：第３の電力保護装置
２４：第４の電力保護装置
１１０：第１の電力線
１２０：第２の電力線
１３０：第３の電力線
１４０：第４の電力線
１１１：第１の電力制御ノード
１２１：第２の電力制御ノード
１３１：第３の電力制御ノード
１４１：第４の電力制御ノード
１１１Ａ：第１の電力制御スイッチ
１２１Ａ：第２の電力制御スイッチ
１３１Ａ：第３の電力制御スイッチ
１４１Ａ：第４の電力制御スイッチ
２１１：第１の消費電力及び漏洩電力検出モジュール
２１２：第１の低消費電力Ｂｌｕｅｔｏｏｔｈ通信モジュール
２１３：第１のエネルギー蓄積モジュール
２１４：第１の温度保護モジュール
２２１：第２の消費電力及び漏洩電力検出モジュール
２２２：第２の低消費電力Ｂｌｕｅｔｏｏｔｈ通信モジュール
２２３：第２のエネルギー蓄積モジュール
２２４：第２の温度保護モジュール              
【図１】
0003226515.tif 000003
【図２】
0003226515.tif 000004
【図３】
0003226515.tif 000005
【手続補正書】
【提出日】令和2年4月6日(2020.4.6)
【手続補正１】
【補正対象書類名】実用新案登録請求の範囲
【補正対象項目名】全文
【補正方法】変更
【補正の内容】
【実用新案登録請求の範囲】
【請求項１】
少なくとも第１の電気回路及び第２の電気回路を含む送電線網に配置され、第１の電力保護装置及び第２の電力保護装置を含むスマートグリッド保護システムであって、
前記第１の電気回路は、少なくとも１つの第１の電力線、及び第１の電力制御スイッチが設けられる第１の電力制御ノードを備え、
前記第２の電気回路は、少なくとも１つの第２の電力線、及び第２の電力制御スイッチが設けられる第２の電力制御ノードを備え、
前記第１の電力保護装置は、前記第１の電気回路における前記第１の電力制御ノードに配置され、前記第１の電力制御スイッチに電気的に接続し、かつ、前記第１の電力保護装置には、
前記第１の電気回路による消費電力量及び電力漏洩状態を検出するための第１の消費電力及び漏洩電力検出モジュールと、
第１の低消費電力Ｂｌｕｅｔｏｏｔｈ（登録商標）通信モジュールと、
前記第１の消費電力及び漏洩電力検出モジュールと前記第１の低消費電力Ｂｌｕｅｔｏｏｔｈ（登録商標）通信モジュールとを接続し、前記第１の消費電力及び漏洩電力検出モジュールと前記第１の低消費電力Ｂｌｕｅｔｏｏｔｈ（登録商標）通信モジュールとに電力を給電するための、第１のエネルギー蓄積モジュールと、
が含まれて、
前記第２の電力保護装置は、前記第２の電気回路における前記第２の電力制御ノードに配置され、前記第２の電力制御スイッチに電気的に接続し、かつ、前記第２の電力保護装置には、
前記第２の電気回路による消費電力量及び電力漏洩状態を検出するための第２の消費電力及び漏洩電力検出モジュールと、
第２の低消費電力Ｂｌｕｅｔｏｏｔｈ（登録商標）通信モジュールと、
前記第２の消費電力及び漏洩電力検出モジュールと前記第２の低消費電力Ｂｌｕｅｔｏｏｔｈ（登録商標）通信モジュールとを接続し、前記第２の消費電力及び漏洩電力検出モジュールと前記第２の低消費電力Ｂｌｕｅｔｏｏｔｈ（登録商標）通信モジュールとに電力を給電するための、第２のエネルギー蓄積モジュールと、
が含まれて、
前記第１の電力保護装置における前記第１の消費電力及び漏洩電力検出モジュールが、前記第１の電気回路による前記消費電力量が第１の上限値よりも大きくなったこと、または前記第１の電気回路の電力漏洩状態が、電力が漏洩される状態になったことを検出したとき、前記第１の電力保護装置は、前記第１の電気回路の出力電力量を調整するように、前記第１の電力制御スイッチに通知し、
前記第１の電力保護装置における前記第１の低消費電力Ｂｌｕｅｔｏｏｔｈ（登録商標）通信モジュールは、前記第２の電力保護装置における前記第２の低消費電力Ｂｌｕｅｔｏｏｔｈ（登録商標）通信モジュールに通知し、対応的に前記第２の電力制御ノードにおける前記第２の電力制御スイッチを規制する、
ことを特徴とするスマートグリッド保護システム。
【請求項２】
前記第１の電力保護装置は、
前記第１の低消費電力Ｂｌｕｅｔｏｏｔｈ（登録商標）通信モジュールに電気的に接続される第１の温度保護モジュール、をさらに含み、
前記第１の温度保護モジュールが、前記第１の電力制御ノードの温度が第１の温度よりも高いことを検出した時、前記第１の電力保護装置は、前記第１の電気回路の出力電力量を調整するように、前記第１の電力制御スイッチに過温度警告メッセージを発信し、
かつ、前記第１の電力保護装置が前記第１の低消費電力Ｂｌｕｅｔｏｏｔｈ（登録商標）通信モジュールを介して、警告信号を送信して、前記第２の電力保護装置に通信する、
ことを特徴とする、請求項１に記載するスマートグリッド保護システム。